(57)【要約】【課題】  タイマー撮影時に、カメラを意識し、注目しなくとも、被写体である人物が撮影タイミングを確実に知ることができるようにするとともに、腕時計のような、被写体である人物が携帯する小型の電子機器を用いて、新たな機能を実現させること。【解決手段】  タイマー撮影時、撮影準備が完了した後、被写体であるユーザＹが、自身が装着している腕時計３０にタイマー撮影のスタート指示を入力すると、腕時計３０でのタイマーのカウント動作が開始されるとともに、デジタルカメラ１０において、内蔵するタイマーのカウント動作が開始される。そして、デジタルカメラ１０と腕時計３０とが無線通信を行うことで双方のカウント動作が連動され、撮影実行の所定時間前（数秒前）になると、撮影実行までの所要時間がカウントダウン形式で報知されるとともに、撮影が終了すると、その旨が報知される。【選択図】  図１
2005070392.tif 000002
【特許請求の範囲】
【請求項１】
タイマー手段を具備する電子機器と無線通信を行ってタイマー撮影を行う撮影装置であって、
前記電子機器から送信されるタイマー開始指示信号を受信する開始信号受信手段と、
この開始信号受信手段によりタイマー開始指示信号が受信された場合にタイマーのカウント動作を開始する撮影タイマー手段と、
前記電子機器との間で所定の通信を行うことにより、前記撮影タイマー手段によるカウント動作と前記電子機器のタイマー手段によるカウント動作とを連動させる制御を行う連動制御手段と、
前記撮影タイマー手段によるカウント値が所定値に達した場合に撮影を行うタイマー撮影制御手段と、
このタイマー撮影制御手段による撮影終了の信号を前記電子機器に送信する終了信号送信手段と、
を備えることを特徴とする撮影装置。
【請求項２】
前記連動制御手段は、
前記撮影タイマー手段によるカウント値を含む、前記電子機器のタイマー手段のカウント値を調整するための調整信号を前記電子機器に送信する調整信号送信手段を有することを特徴とする請求項１に記載の撮影装置。
【請求項３】
前記連動制御手段は、
前記電子機器のタイマー手段によるカウント値を含む調整信号を前記電子機器から受信する調整信号受信手段と、
この調整信号受信手段により受信された調整信号に従って、前記撮影タイマー手段によってカウントされているカウント値を調整する調整手段と、
を有することを特徴とする請求項１に記載の撮影装置。
【請求項４】
前記電子機器から送信されるタイマー中断指示信号を受信する中断信号受信手段と、
この中断信号受信手段によりタイマー中断指示信号が受信された場合に、前記撮影タイマー手段のカウント動作を一時中断させるタイマー中断制御手段と、
前記電子機器から送信されるタイマー再開指示信号を受信する再開信号受信手段と、
この再開信号受信手段によりタイマー再開指示信号が受信された場合に、前記タイマー中断制御手段により一時中断された前記撮影タイマー手段のカウント動作を再開させるタイマー再開制御手段と、
を備えることを特徴とする請求項１〜３の何れか一項に記載の撮影装置。
【請求項５】
前記電子機器から送信されるタイマー中止指示信号を受信する中止信号受信手段と、
この中止信号受信手段によりタイマー中止指示信号が受信された場合に、前記撮影タイマー手段のカウント動作を中止させるタイマー中止制御手段と、
を備えることを特徴とする請求項１〜４の何れか一項に記載の撮影装置。
【請求項６】
前記タイマー撮影制御手段によって撮影された撮影画像を前記電子機器に送信する画像送信手段と、
この画像送信手段によって送信した撮影像画像を保存するか否かの保存当否信号を前記電子機器から受信する保存当否信号受信手段と、
この保存当否信号受信手段により受信された保存当否信号に従って、前記撮影画像を保存又は消去する画像保存制御手段と、
を備えることを特徴とする請求項１〜５の何れか一項に記載の撮影装置。
【請求項７】
撮影タイマー手段を具備する撮影装置と無線通信を行って、前記撮影装置によるタイマー撮影の制御を行う電子機器であって、
前記撮影タイマー手段によるタイマー撮影のカウント動作を開始させるためのタイマー開始指示信号を前記撮影装置に送信する開始信号送信手段と、
タイマー手段と、
前記撮影装置との間で所定の通信を行うことにより、前記タイマー手段によるカウント動作と前記撮影装置の撮影タイマー手段によるカウント動作とを連動させる制御を行う連動制御手段と、
前記タイマー手段によるカウント値に基づく所定の報知を行うカウント報知手段と、
前記撮影装置から撮影終了の信号を受信し、撮影終了の旨を報知する撮影終了報知手段と、
を備えることを特徴とする電子機器。
【請求項８】
前記連動制御手段は、
前記撮影装置の撮影タイマー手段によるカウント値を含む調整信号を受信する調整信号受信手段と、
この調整信号受信手段により受信された調整信号に従って、前記タイマー手段によってカウントされているカウント値を調整する調整手段と、
を有することを特徴とする請求項７に記載の電子機器。
【請求項９】
前記連動制御手段は、前記タイマー手段によるカウント値を含む、前記撮影装置の撮影タイマー手段のカウント値を調整するための調整信号を前記撮影装置に送信する調整信号送信手段を有することを特徴とする請求項７に記載の電子機器。
【請求項１０】
タイマー中断指示を入力する中断入力手段と、
この中断入力手段により入力されたタイマー中断指示の信号を前記撮影装置に送信する中断信号送信手段と、
前記中断入力手段によりタイマー中断指示が入力された場合に、前記タイマー手段のカウント動作を一時中断させるタイマー中断制御手段と、
タイマー再開指示を入力する再開入力手段と、
この再開入力手段により入力されたタイマー再開指示の信号を前記撮影装置に送信する再開信号送信手段と、
前記再開入力手段によりタイマー再開指示が入力された場合に、前記タイマー中断制御手段により一時中断された前記タイマー手段のカウント動作を再開させるタイマー再開制御手段と、
を備えることを特徴とする請求項７〜９の何れか一項に記載の電子機器。
【請求項１１】
タイマー中止指示を入力する中止入力手段と、
この中止入力手段により入力されたタイマー中止指示の信号を前記撮影装置に送信する中止信号送信手段と、
前記中止入力手段によりタイマー中止指示が入力された場合に、前記タイマー手段のカウント動作を中止させるタイマー中止制御手段と、
を備えることを特徴とする請求項７〜１０の何れか一項に記載の電子機器。
【請求項１２】
前記撮影装置から撮影画像を受信する画像受信手段と、
この画像受信手段により受信された撮影画像を表示する制御を行う画像表示制御手段と、
この画像表示制御手段により表示された撮影画像を保存するか否かをの保存当否指示を入力する保存当否入力手段と、
この保存当否入力手段により入力された保存当否指示の信号を前記撮影装置に送信する保存当否信号送信手段と、
を備えることを特徴とする請求項７〜１１の何れか一項に記載の電子機器。
【請求項１３】
タイマー手段を具備する電子機器と無線通信を行い、撮影手段を制御することでタイマー撮影を行うコンピュータに、
前記電子機器から送信されるタイマー開始指示信号を受信する開始信号受信機能と、
この開始信号受信機能によってタイマー開始指示信号が受信された場合にタイマーのカウント動作を開始する撮影タイマー機能と、
前記電子機器との間で所定の通信を行うことにより、前記撮影タイマー機能によるカウント動作と前記電子機器のタイマー手段によるカウント動作とを連動させる制御を行う連動制御機能と、
前記撮影タイマー機能によるカウント値が所定値に達した場合に撮影を行うタイマー撮影制御機能と、
このタイマー撮影制御機能による撮影終了の信号を前記電子機器に送信する終了信号送信機能と、
を実現させるためのプログラム。
【請求項１４】
撮影タイマー手段を具備する撮影装置と無線通信を行って、前記撮影装置によるタイマー撮影の制御を行うコンピュータに、
前記撮影タイマー手段によるタイマー撮影のカウント動作を開始させるためのタイマー開始指示信号を前記撮影装置に送信する開始信号送信機能と、
タイマー機能と、
前記撮影装置との間で所定の通信を行うことにより、前記タイマー機能によるカウント動作と前記撮影装置の撮影タイマー手段によるカウント動作とを連動させる制御を行う連動制御機能と、
前記タイマー機能によるカウント値に基づく所定の報知を行うカウント報知機能と、
前記撮影装置から撮影終了の信号を受信し、撮影終了の旨を報知する撮影終了報知機能と、
を実現させるためのプログラム。
【発明の詳細な説明】
【技術分野】
【０００１】
本発明は、撮影装置、電子機器及びプログラムに関する。
【背景技術】
【０００２】
従来から、デジタルカメラと呼ばれる撮影装置が知られている。このデジタルカメラは、レンズを通してＣＣＤ（Charge Coupled Device）等の撮像素子で取り込んだデジタル画像を電子的に記録保存する。また、この種のデジタルカメラの中には、撮影を補助する様々な付加機能を有するものがある。
【０００３】
例えば、特許文献１には、セルフタイマー撮影やリモコン撮影のように、被写体である人物がカメラから離れた位置に立った状態において、自身が撮影画像内に位置していることを常に知ることができるカメラが開示されている。かかるカメラには、カメラの視野領域のみをその光学的な指向範囲に収め得る構造の撮影視野識別手段（発光部材）が設けられており、被写体である人物は、発光部材の点滅発光を視認し得る範囲内に立つことで、自身が撮影画像内に位置することを容易に把握することができる。
また、特許文献２には、カメラと腕時計とを組み合わせたシステムにおいて、カメラの撮影画像を腕時計に送信し、この腕時計の表示手段に表示させるシステムが開示されている。
【特許文献１】特開平５−５３１８６号公報
【特許文献２】特開平２００１−１０３４０９号公報
【発明の開示】
【発明が解決しようとする課題】
【０００４】
しかしながら、従来のセルフタイマー撮影において、撮影タイミング（シャッターが切られる瞬間）の報知は、カメラが有するライト等の発光部の発光や、スピーカ等の音声出力部からの音声出力等によってなされていた。即ち、被写体である人物は、撮影タイミングを確実に知るため、カメラを意識し、注目していなければならなかった。
【０００５】
また、カメラと腕時計とを組み合わせたシステム等では、撮影画像を腕時計に送信し、この撮影画像を表示しているに過ぎなかった。
【０００６】
上記事情に鑑み、本発明は、タイマー撮影時に、カメラを意識し、注目しなくとも、被写体である人物が撮影タイミングを確実に知ることができるようにするとともに、腕時計のような、被写体である人物が携帯する小型の電子機器を用いて、新たな機能を実現させることを目的としている。
【課題を解決するための手段】
【０００７】
上記課題を解決するために、請求項１に記載の発明は、
タイマー手段を具備する電子機器と無線通信を行ってタイマー撮影を行う撮影装置であって、
前記電子機器から送信されるタイマー開始指示信号（例えば、図６（ａ）のタイマースタート通知信号Ｓ１）を受信する開始信号受信手段（例えば、図２の通信部１６２；図７のステップＢ１１）と、
この開始信号受信手段によりタイマー開始指示信号が受信された場合にタイマーのカウント動作を開始する撮影タイマー手段（例えば、図２のタイマー１５２；図７のステップＢ１２）と、
前記電子機器との間で所定の通信を行うことにより、前記撮影タイマー手段によるカウント動作と前記電子機器のタイマー手段によるカウント動作とを連動させる制御を行う連動制御手段（例えば、図２のＣＰＵ１２０；図７のステップＢ１３）と、
前記撮影タイマー手段によるカウント値が所定値に達した場合に撮影を行うタイマー撮影制御手段（例えば、図２のＣＰＵ；図７のステップ１５）と、
このタイマー撮影制御手段による撮影終了の信号（例えば、図６（ｃ）のシャッター通知信号Ｓ３）を前記電子機器に送信する終了信号送信手段（例えば、図２の通信部１６２；図７のステップＢ１６）と、
を備えることを特徴としている。
【０００８】
また、請求項１３に記載の発明は、
タイマー手段を具備する電子機器と無線通信を行い、撮影手段を制御することでタイマー撮影を行うコンピュータに、
前記電子機器から送信されるタイマー開始指示信号を受信する開始信号受信機能（例えば、図７のステップＢ１１）と、
この開始信号受信機能によってタイマー開始指示信号が受信された場合にタイマーのカウント動作を開始する撮影タイマー機能（例えば、図７のステップＢ１２）と、
前記電子機器との間で所定の通信を行うことにより、前記撮影タイマー機能によるカウント動作と前記電子機器のタイマー手段によるカウント動作とを連動させる制御を行う連動制御機能（例えば、図７のステップＢ１３）と、
前記撮影タイマー機能によるカウント値が所定値に達した場合に撮影を行うタイマー撮影制御機能（例えば、図７のステップＢ１５）と、
このタイマー撮影制御機能による撮影終了の信号を前記電子機器に送信する終了信号送信機能（例えば、図７のステップＢ１６）と、
を実現させるためのプログラムである。
【０００９】
また、請求項７に記載の発明は、
撮影タイマー手段を具備する撮影装置と無線通信を行って、前記撮影装置によるタイマー撮影の制御を行う電子機器であって、
前記撮影タイマー手段によるタイマー撮影のカウント動作を開始させるためのタイマー開始指示信号（例えば、図６（ａ）のタイマースタート通知信号Ｓ１）を前記撮影装置に送信する開始信号送信手段（例えば、図３の通信制御部３５８；図７のステップＡ１２）と、
タイマー手段（例えば、図３のＣＰＵ３１０；図７のステップＡ１３）と、
前記撮影装置との間で所定の通信を行うことにより、前記タイマー手段によるカウント動作と前記撮影装置の撮影タイマー手段によるカウント動作とを連動させる制御を行う連動制御手段（例えば、図３のＣＰＵ３１０，通信制御部３５８；図７のステップＡ１４〜Ａ１５）と、
前記タイマー手段によるカウント値に基づく所定の報知を行うカウント報知手段（例えば、図３の表示部３２４，音出力部３２６；図７のステップ１７）と、
前記撮影装置から撮影終了の信号（例えば、図６（ｃ）のシャッター通知信号Ｓ３）を受信し、撮影終了の旨を報知する撮影終了報知手段（例えば、図３の通信制御部３５８，表示部３２４，音出力部３２６；図７のステップＡ１９）と、
を備えることを特徴としている。
【００１０】
また、請求項１４に記載の発明は、
撮影タイマー手段を具備する撮影装置と無線通信を行って、前記撮影装置によるタイマー撮影の制御を行うコンピュータに、
前記撮影タイマー手段によるタイマー撮影のカウント動作を開始させるためのタイマー開始指示信号を前記撮影装置に送信する開始信号送信機能（例えば、図７のステップＡ１２）と、
タイマー機能（例えば、図７のステップＡ１３）と、
前記撮影装置との間で所定の通信を行うことにより、前記タイマー機能によるカウント動作と前記撮影装置の撮影タイマー手段によるカウント動作とを連動させる制御を行う連動制御機能（例えば、図７のステップＡ１４〜Ａ１５）と、
前記タイマー機能によるカウント値に基づく所定の報知を行うカウント報知機能（例えば、図７のステップＡ１７）と、
前記撮影装置から撮影終了の信号（例えば、図６（ｃ）のシャッター通知信号Ｓ３）を受信し、撮影終了の旨を報知する撮影終了報知機能（例えば、図７のステップＡ１９）と、
を実現させるためのプログラムである。
【００１１】
この請求項１，１３，７，１４に記載の発明によれば、電子機器において、タイマー撮影のカウント動作を開始させるためのタイマー開始指示の信号が送信されると、この信号を受信した撮影装置においてタイマーのカウント動作が開始され、次いで、撮影装置と電子機器との間で所定の通信が行われることにより、双方のカウント動作が連動される。そして、電子機器においては、カウント値に基づく報知が行われ、また、撮影が終了すると、撮影装置から送信される撮影終了の信号が受信されて撮影終了の旨が報知される。従って、被写体であるユーザは、タイマー撮影時に、電子機器においてなされる報知によって、従来のように撮影装置を意識し、注目することなく、撮影の実行のタイミング（シャッターが切られるタイミング）や撮影終了を確実に知ることができるため、撮影時の失敗を防止できる。
【００１２】
請求項２に記載の発明は、請求項１に記載の撮影装置において、
前記連動制御手段は、
前記撮影タイマー手段によるカウント値を含む、前記電子機器のタイマー手段のカウント値を調整するための調整信号（例えば、図６（ｂ）のカウントデータ送信信号Ｓ２）を前記電子機器に送信する調整信号送信手段（例えば、図２の通信部１６２；図７のステップＢ１３）を有することを特徴としている。
【００１３】
また、請求項８に記載の発明は、請求項７に記載の電子機器において、
前記連動制御手段は、
前記撮影装置の撮影タイマー手段によるカウント値を含む調整信号（例えば、図６（ｂ）のカウントデータ送信信号Ｓ２）を受信する調整信号受信手段（例えば、図３の通信制御部３５８；図７のステップＡ１４）と、
この調整信号受信手段により受信された調整信号に従って、前記タイマー手段によってカウントされているカウント値を調整する調整手段（例えば、図２のＣＰＵ３１０；図７のステップＡ１５）と、
を有することを特徴としている。
【００１４】
この請求項２，８に記載の発明によれば、撮影装置において、該撮影装置でのカウント値を含む、電子機器でのカウント値を調整するための調整信号が送信されると、この調整信号を受信した電子機器において、該調整信号に従ったカウント値の調整が行われる。即ち、電子機器側で、撮影装置でのカウント動作と電子機器でのカウント動作とを連動させるための調整が行われる。
【００１５】
請求項３に記載の発明は、請求項１に記載の撮影装置において、
前記連動制御手段は、
前記電子機器のタイマー手段によるカウント値を含む調整信号を前記電子機器から受信する調整信号受信手段（例えば、図２の通信部１６２；図１１のステップＢ２１）と、
この調整信号受信手段により受信された調整信号に従って、前記撮影タイマー手段によってカウントされているカウント値を調整する調整手段（例えば、図２のＣＰＵ１２０；図１１のステップＢ２２）と、
を有することを特徴としている。
【００１６】
また、請求項９に記載の発明は、請求項７に記載の電子機器において、
前記連動制御手段は、前記タイマー手段によるカウント値を含む、前記撮影装置の撮影タイマー手段のカウント値を調整するための調整信号（例えば、図６（ｂ）のカウントデータ送信信号Ｓ２）を前記撮影装置に送信する調整信号送信手段（例えば、図３の通信制御部３５８；図１１のステップＡ２１）を有することを特徴としている。
【００１７】
この請求項３，９に記載の発明によれば、電子機器において、該電子機器でのカウント値を含む、撮影装置でのカウント値を調整するための調整信号が送信されると、この調整信号を受信した撮影において、該調整信号に従ったカウント値の調整が行われる。即ち、撮影装置側で、撮影装置でのカウント動作と電子機器でのカウント動作とを連動させるための調整が行われる。
【００１８】
請求項４に記載の発明は、請求項１〜３の何れか一項に記載の撮影装置において、
前記電子機器から送信されるタイマー中断指示信号（例えば、図１０（ａ）のポーズ通知信号Ｓ４）を受信する中断信号受信手段（例えば、図２の通信部１６２；図１１のステップＢ２３）と、
この中断信号受信手段によりタイマー中断指示信号が受信された場合に、前記撮影タイマー手段のカウント動作を一時中断させるタイマー中断制御手段（例えば、図２のＣＰＵ１２０；図１１のステップＢ２４）と、
前記電子機器から送信されるタイマー再開指示信号を受信する再開信号受信手段（例えば、図２の通信部１６２；図１１のステップＢ２５）と、
この再開信号受信手段によりタイマー再開指示信号が受信された場合に、前記タイマー中断制御手段により一時中断された前記撮影タイマー手段のカウント動作を再開させるタイマー再開制御手段（例えば、図２のＣＰＵ１２０；図１１のステップＢ２６）と、
を備えることを特徴としている。
【００１９】
また、請求項１０に記載の発明は、請求項７〜９の何れか一項に記載の電子機器において、
タイマー中断指示を入力する中断入力手段（例えば、図３の入力部３２２；図１１のステップＡ２２）と、
この中断入力手段により入力されたタイマー中断指示の信号（例えば、図１０（ａ）のポーズ通知信号Ｓ４）を前記撮影装置に送信する中断信号送信手段（例えば、図３の通信制御部３５８；図１１のステップＡ２４）と、
前記中断入力手段によりタイマー中断指示が入力された場合に、前記タイマー手段のカウント動作を一時中断させるタイマー中断制御手段（例えば、図３のＣＰＵ３１０；図１１のステップＡ２３）と、
タイマー再開指示を入力する再開入力手段（例えば、図３の入力部３２２；図１１のステップＡ２５）と、
この再開入力手段により入力されたタイマー再開始指示の信号（例えば、図１０（ａ）のポーズ通知信号Ｓ４）を前記撮影装置に送信する再開信号送信手段（例えば、図３の通信制御部３５８；図１１のステップＡ２７）と、
前記再開入力手段によりタイマー再開指示が入力された場合に、前記タイマー中断制御手段により一時中断された前記タイマー手段のカウント動作を再開させるタイマー再開制御手段（例えば、図３のＣＰＵ３１０；図１１のステップＡ２６）と、
を備えることを特徴としている。
【００２０】
この請求項４，１０に記載の発明によれば、電子機器において、タイマー中断指示が入力されると、電子機器でのカウント動作が一時中断されるとともに、タイマー中断指示の信号が撮影装置に送信され、この信号を受信した撮影装置においてもカウント動作が一時中断される。また、電子機器において、タイマー再開指示が入力されると、電子機器でのカウント動作が再開されるとともに、タイマー再開指示の信号が撮影装置に送信され、この信号を受信した撮影装置においてもカウント動作が再開される。従って、タイマー撮影の中断、再開が指示された場合でも、撮影装置でのカウント動作と電子機器でのカウント動作との連動が可能になる。
【００２１】
請求項５に記載の発明は、請求項１〜４の何れか一項に記載の撮影装置において、
前記電子機器から送信されるタイマー中止指示信号を受信する中止信号受信手段（例えば、図２の通信部１６２；図１１のステップＢ２７）と、
この中止信号受信手段によりタイマー中止指示信号が受信された場合に、前記撮影タイマー手段のカウント動作を中止させるタイマー中止制御手段（例えば、図２のＣＰＵ１２０；図１１のステップ２８）と、
を備えることを特徴としている。
【００２２】
また、請求項１１に記載の発明は、請求項７に記載の電子機器において、
タイマー中止指示を入力する中止入力手段（例えば、図３の入力部３２２；図１１のステップＡ２８）と、
この中止入力手段により入力されたタイマー中止指示の信号（例えば、図１０（ｂ）のキャンセル通知信号Ｓ５）を前記撮影装置に送信する中止信号送信手段（例えば、図３の通信制御部３５８；図１１のステップＡ３０）と、
前記中止入力手段によりタイマー中止指示が入力された場合に、前記タイマー手段のカウント動作を中止させるタイマー中止制御手段（例えば、図３のＣＰＵ３１０；図１１のステップＡ２９）と、
を備えることを特徴としている。
【００２３】
この請求項５，１１に記載の発明によれば、電子機器において、タイマー中止指示が入力されると、電子機器でのカウント動作が中止されるとともに、タイマー中止指示の信号が撮影装置に送信され、この信号を受信した撮影装置においてもカウント動作が中止される。
【００２４】
請求項６に記載の発明は、請求項１〜５の何れか一項に記載の撮影装置において、
前記タイマー撮影制御手段によって撮影された撮影画像を前記電子機器に送信する画像送信手段（例えば、図２の通信部１６２；図１４のステップＢ４４）と、
この画像送信手段によって送信した撮影像画像を保存するか否かの保存当否信号を前記電子機器から受信する保存当否信号受信手段（例えば、図２の通信部１６２；図１４のステップＢ４５）と、
この保存当否信号受信手段により受信された保存当否信号に従って、前記撮影画像を保存又は消去する画像保存制御手段（例えば、図２のＣＰＵ１２０；図１４のステップＢ４６，Ｂ４７）と、
を備えることを特徴としている。
【００２５】
また、請求項１２に記載の発明は、請求項７〜１１の何れか一項に記載の電子機器において、
前記撮影装置から撮影画像を受信する画像受信手段（例えば、図３の通信制御部３５８；図１４のステップＡ４５）と、
この画像受信手段により受信された撮影画像を表示する制御を行う画像表示制御手段（例えば、図３のＣＰＵ３１０，表示部３２４；図１４のステップＡ４６）と、
この画像表示制御手段により表示された撮影画像を保存するか否かをの保存当否指示を入力する保存当否入力手段（例えば、図３の入力部３２２；図１４のステップＡ４７）と、
この保存当否入力手段により入力された保存当否指示の信号を前記撮影装置に送信する保存当否信号送信手段（例えば、図３の通信制御部３５８；図１４のステップＡ４８，Ａ４９）と、
を備えることを特徴としている。
【００２６】
この請求項６，１２に記載の発明によれば、撮影装置において、撮影画像が電子機器に送信され、電子機器においてこの撮影画像が表示される。そして、撮影装置において、この撮影画像を保存するか否かの保存当否指示が入力されると、この当否指示の信号が撮影装置に送信され、撮影装置において、受信された保存当否信号に従って撮影画像が保存又は消去される。従って、撮影終了後、その場で撮影画像を確認し、保存／消去を行うことが可能となる。更に、再度同じ構図でのタイマー撮影（取り直し）を行うといったことも可能となる。
【発明の効果】
【００２７】
請求項１，１３，７，１４に記載の発明によれば、被写体であるユーザは、タイマー撮影時に、電子機器においてなされる報知によって、従来のように撮影装置を意識し、注目することなく、撮影の実行のタイミング（シャッターが切られるタイミング）や撮影終了を確実に知ることができるため、撮影時の失敗を防止できる。
【００２８】
また、請求項２，８に記載の発明によれば、電子機器側で、撮影装置でのカウント動作と電子機器でのカウント動作とを連動させるための調整が行われる。
【００２９】
また、請求項３，９に記載の発明によれば、撮影装置側で、撮影装置でのカウント動作と電子機器でのカウント動作とを連動させるための調整が行われる。
【００３０】
また、請求項４，１０に記載の発明によれば、タイマー撮影の中断、再開が指示された場合でも、撮影装置でのカウント動作と電子機器でのカウント動作との連動が可能になる。
【００３１】
また、請求項５，１１に記載の発明によれば、タイマー撮影の中止が指示された場合、撮影装置でのカウント動作及び電子機器でのカウント動作がともに中止することが可能になる。
【００３２】
更に、請求項６，１２に記載の発明によれば、撮影終了後、その場で撮影画像を確認し、保存／消去を行うことが可能となる。更に、再度同じ構図でのタイマー撮影（取り直し）を行うことも可能となる。
【発明を実施するための最良の形態】
【００３３】
以下、図面を参照して、本発明を実施するための最良の形態を説明する。尚、以下では、本発明を、撮影装置の一種であるデジタルカメラ及び電子機器の一種である腕時計に適用した場合について説明するが、本発明の適用がこれに限定されるものではない。
【００３４】
［概要］
先ず、本実施の形態の概要を説明する。
図１は、本実施の形態の概要を示す図である。同図では、三脚に取り付けられたデジタルカメラ１０で、ユーザＹを被写体としてタイマー撮影を行う様子が示されている。ここで、「タイマー撮影」とは、デジタルカメラ１０に内蔵されたタイマーのカウント動作によるカウント値が所定値に達すると、自動的にシャッターが切られて撮影が実行される、いわゆるセルフタイマー機能による撮影のことである。
【００３５】
本実施の形態では、被写体であるユーザＹが、撮影条件や構図等を決定して撮影準備を完了した後、自身の腕に装着している腕時計３０を操作することで、デジタルカメラ１０のタイマー撮影が開始される。
【００３６】
タイマー撮影が開始されると、デジタルカメラ１０及び腕時計３０では、互いに無線通信を行ってそれぞれが有するタイマーのカウント動作が連動される。また、腕時計３０では、撮影実行の所定時間（例えば、５［秒］）前から、撮影実行までの所要時間がカウントダウン形式で報知されるとともに、撮影が終了するとその旨が報知される。
【００３７】
［デジタルカメラ］
デジタルカメラ１０の構成を説明する。
図２は、デジタルカメラ１０の回路構成を示すブロック図である。同図によれば、デジタルカメラ１０は、光学系１０２と、信号変換部１０４と、信号処理部１０６と、ＤＲＡＭ１１２と、フラッシュメモリ１１４と、ＣＰＵ１２０と、タイマー１５２と、入力部１５４と、表示部１５６と、音出力部１５８と、通信部１６２と、を有している。
【００３８】
光学系１０２は、撮影レンズＬや自動絞り機構（不図示）等を含み、撮影レンズＬを介して集光された被写体像の光束を信号変換部１０４の撮像素子（ＣＣＤ等）上に結像させる。
【００３９】
信号変換部１０４は、ＣＣＤ等の撮像素子及び信号変換回路を含み、撮影レンズＬを介してＣＣＤ上に結像された画像を電気信号（アナログ信号）に変換し、更に信号変換回路でデジタル信号に変換して一定の周期で出力する。
【００４０】
信号処理部１０６は、信号変換部１０４から入力されるデジタル信号に対して画素補間処理及びγ補正処理を含むカラープロセス処理を施し、得られた輝度信号Ｙ及び色差信号Ｃｂ，Ｃｒをデータ化した画像データを、ＤＲＡＭ１１２に転送して一時的に記憶させる。また、信号処理部１０６は、撮影画像の記録保存の際に、ＤＲＡＭ１１２に書き込まれている画像データにＪＰＥＧ圧縮処理を施し、再生時には、フラッシュメモリ１１４に保存記録されていた画像データ（圧縮データ）に伸張処理を施して画像データを再生する。
【００４１】
ＤＲＡＭ１１２は、作業用メモリとして用いられ、撮影画像を一時的に記憶する画像バッファ領域や、ＪＰＥＧ圧縮／伸張時の作業用領域を備えている。シャッターが切られると、その時点で画像バッファに記憶されている画像データが、１枚の静止画像として表示部１５６に表示されるとともに、撮影画像としてフラッシュメモリ１１４に記録保存される。
【００４２】
フラッシュメモリ１１４は、撮影画像を、当該画像の画像情報等とともに保存記録する。尚、このフラッシュメモリ１１４は、デジタルカメラ１０に内蔵されるものであっても良いし、デジタルカメラ１０に着脱自在な外部記憶媒体であっても良い。
【００４３】
ＣＰＵ１２０は、ＲＯＭ１３０及びＲＡＭ１４０を有し、ＲＯＭ１３０に格納されている各種処理プログラムを実行することでデジタルカメラ１０全体の制御を行う。例えば、ＣＰＵ１２０は、タイマー１５２のカウント動作を開始させ、カウント値が所定値に達するとシャッターを切って撮影を実行させるタイマー撮影や、撮影画像のフラッシュメモリ１１４への記録保存、フラッシュメモリ１１４に記録保存されている撮影画像の再生表示、腕時計３０から受信したカウント値に従ったタイマー１５２によるカウント値の調整等の実行を制御する。
【００４４】
ＲＯＭ１３０には、デジタルカメラ１０の基本的な諸機能を実現させるためのシステムプログラムの他、本実施の形態を実現するための制御プログラムやデータ等が格納されている。尚、これらの制御プログラムやデータ等については、後述する各実施形態において詳述する。
【００４５】
ＲＡＭ１４０は、ＣＰＵ１２０が実行するプログラムや、該プログラムの実行にかかるデータ等を一時的に格納する格納領域（メモリ）を備えている。尚、この格納領域については、後述する各実施形態において詳述する。
【００４６】
タイマー１５２は、水晶振動子等を有する計時回路を含み、タイマー撮影のためのカウント動作を行う撮影タイマーである。このタイマー１５２によるカウント値が所定値（例えば、０［秒］）に達すると、自動的にシャッターが切られて撮影が実行される。
【００４７】
入力部１５４は、ユーザＹによる各種操作指示を入力するための入力装置であり、ユーザＹの操作指示に応じた操作信号をＣＰＵ１２０に出力する。この入力部１５４は、各種操作スイッチや操作ボタンの他、表示部１５６と一体的に形成されたタッチパネル等で構成される。
【００４８】
表示部１５６は、ＣＰＵ１２０から入力される表示信号に基づき、対応する各種表示画面を表示するための表示装置であり、ビデオエンコーダやＶＲＡＭ、ＬＣＤ（Liquid Crystal Display）やＥＬＤ（Electronic Luminescent Display）等の表示素子等で構成される。この表示部１５６は、例えば、撮影時には電子ファインダーとして被写体の撮影画像をモニタ表示し、また、画像再生時にはフラッシュメモリ１１４から読み出された撮影画像を再生表示する。
【００４９】
音出力部１５８は、ＣＰＵ１２０から入力される音信号に基づいて、例えばシャッターが切られた際にシャッター音等の各種音声を出力する音出力装置であり、スピーカ等で構成される。
【００５０】
通信部１６２は、腕時計３０と通信接続して、腕時計３０との無線通信を制御する通信装置である。通信方式としては、赤外線を利用したＩｒＤＡ（Infrared Data Association）、IEEE802.11x、Bluetooth（登録商標）等、何れの方式であっても良い。
【００５１】
［腕時計の構成］
腕時計３０の構成を説明する。
図３は、腕時計３０の内部構成を示すブロック図である。同図によれば、腕時計３０は、ＣＰＵ３１０と、入力部３２２と、表示部３２４と、音出力部３２６と、ＲＯＭ３３０と、ＲＡＭ３４０と、計時回路部３５２と、発振回路部３５４と、通信制御部３５８と、を備えて構成される。そして、発振回路部３５４を除く各部は相互にデータ授受が可能なようにデータバスＢによって接続され、発振回路部３５４は計時回路部３５２に接続されている。
【００５２】
ＣＰＵ３１０は、入力される指示に応じて所定のプログラムを実行し、腕時計３０を構成する各部への指示やデータの転送等を行う。具体的には、ＣＰＵ３１０は、入力部３２２から入力される操作信号に応じてＲＯＭ３３０に格納されているプログラムを読み出してＲＡＭ３４０に展開し、該プログラムに従った処理を実行する。そして、処理結果をＲＡＭ３４０に格納するとともに、該処理結果を表示するための表示信号を表示部３２４に出力して対応する表示画面を表示させ、また、音信号を音出力部３２６に出力して対応する音声（音を含む。）を出力させる。また、ＣＰＵ３１０は、計時回路部３５２により計時される時刻データに基づいて経過時間を計時するタイマー機能を実現する。
【００５３】
入力部３２２は、ユーザによる各種操作指示を入力するためのスイッチ等で構成される入力装置であり、ユーザＹの操作指示に対応する操作信号をＣＰＵ３１０に出力する。本実施の形態では、この入力部３２２を介して、タイマー撮影のスタート（開始）やポーズ（一時中断）、ポーズ解除、キャンセル（中止）、撮影画像の記録保存／消去等の指示が入力される。
【００５４】
表示部３２４は、ＣＰＵ３１０から入力される表示信号に応じた表示画面を表示する表示装置であり、小型液晶ディスプレイ等で構成される。特に、本実施の形態では、表示部３２４は、計時回路部３５２で計時される現在時刻をデジタル表示するとともに、撮影時刻（撮影タイミング）が近づいたことや撮影終了を報知する報知画面や、デジタルカメラ１０から受信した撮影画像を表示する。
【００５５】
音出力部３２６は、ＣＰＵ３１０から入力される音信号に基づいた音声を出力する音出力装置であり、スピーカ等で構成される。特に、本実施の形態では、音出力部３２６は、撮影時刻が近づいたことや撮影完了を報知する報知音声を出力する。
【００５６】
ＲＯＭ３３０には、腕時計３０の基本的な諸機能を実現させるためのシステムプログラムの他、本実施の形態を実現するための制御プログラムやデータ等が格納されている。尚、これらのプログラムやデータ等については、後述する各実施形態において詳述する。
【００５７】
ＲＡＭ３４０は、ＣＰＵ３１０が実行するプログラムや、該プログラムの実行にかかるデータ等を一時的に保持する格納領域を備えている。尚、この格納領域の詳細については、後述する各実施形態において詳述する。
【００５８】
計時回路部３５２は、発振回路部３５４から入力されるクロック信号を計数して現在時刻を計時し、この現在時刻のデータをＣＰＵ３１０に出力する。発振回路部３５４は、水晶発振回路を有し、常時一定周波数のクロック信号を出力する。
【００５９】
通信制御部３５８は、デジタルカメラ１０と無線接続して、デジタルカメラ１０との無線通信を制御する。通信方式としては、赤外線を利用したＩｒＤＡ（Infrared Data Association）、IEEE802.11x、Bluetooth（登録商標）等、何れの方式であっても良い。
【００６０】
このように構成される本実施の形態での具体的な３つの実施形態を、以下、順に説明する。
【００６１】
［実施形態１］
先ず、実施形態１を説明する。
実施形態１では、タイマー撮影のスタート指示を、ユーザＹが腕時計３０に入力すると、この指示がデジタルカメラ１０に通知され、デジタルカメラ１０でのタイマー１５２のカウント動作が開始されるとともに、腕時計３０でのカウント動作とデジタルカメラ１０でのカウント動作とが連動される。そして、腕時計３０では、撮影時刻の数秒前から、撮影実行が近づいたことがカウントダウン形式で報知されるとともに、撮影が終了するとその旨が報知される。
【００６２】
＜構成＞
先ず、実施形態１での構成を説明する。
【００６３】
図４は、実施形態１におけるデジタルカメラ１０のＲＯＭ１３０ａ及びＲＡＭ１４０ａの構成を示す図である。
同図（ａ）によれば、ＲＯＭ１３０ａには、実施形態１を実現するための第１タイマー撮影プログラム１３１が格納されている。ＣＰＵ１２０がこの第１タイマー撮影プログラム１３１を読み出して実行することで、後述する第１タイマー撮影処理（図７参照）におけるデジタルカメラ１０側の処理が実現される。
【００６４】
また、図４（ｂ）によれば、ＲＡＭ１４０ａには、デジタルカメラ１０のタイマー１５２のカウント動作（以下、「撮影カウント動作」と称する。）によってカウントされている現在のカウント値（以下、「撮影カウント値」と称する。）を格納する撮影カウント値格納領域１４１が形成されている。
【００６５】
図５は、実施形態１における腕時計３０のＲＯＭ３３０ａ及びＲＡＭ３４０ａの構成を示す図である。
同図（ａ）によれば、ＲＯＭ３３０ａには、実施形態１を実現するための第１撮影制御プログラム３３１が格納されている。ＣＰＵ３１０がこの第１撮影制御プログラム３３１を読み出して実行することで、後述する第１タイマー撮影処理（図７参照）における腕時計３０側の処理が実現される。
【００６６】
また、図５（ｂ）によれば、ＲＡＭ３４０ａには、腕時計３０が有するタイマー機能によるカウント動作（以下、「タイマーカウント動作」と称する。）によってカウントされている現在のカウント値（以下、「タイマーカウント値」と称する。）を格納するタイマーカウント値格納領域３４１が形成されている。
【００６７】
ここで、デジタルカメラ１０と腕時計３０との間で送受信される信号について説明する。
図６（ａ）は、腕時計３０からデジタルカメラ１０に送信されるタイマースタート通知信号Ｓ１のデータ構成例を示す図である。タイマースタート通知信号Ｓ１は、デジタルカメラ１０にタイマー撮影のスタート指示を通知するための信号であり、これには、タイマー撮影モードを示すデータ値「０１」が格納されるモードデータＤａを先頭に、撮影カウント動作を開始するか否か（ＯＮ／ＯＦＦ）を示すデータ値「１／０」が格納されるデータＤｂと、腕時計３０でのタイマーカウント値のデータ「０〜Ｆ（０〜１５［秒］）」が格納されるカウントデータＤｃと、が含まれる。
【００６８】
デジタルカメラ１０は、このタイマースタート通知信号Ｓ１を受信してタイマー撮影のスタート指示が通知されると、カウントデータＤｃに格納されているカウント値からの撮影カウント動作を開始する。
【００６９】
図６（ｂ）は、デジタルカメラ１０から腕時計３０（或いは、腕時計３０からデジタルカメラ１０）に送信されるカウントデータ送信信号Ｓ２のデータ構成例を示す図である。カウントデータ送信信号Ｓ２は、デジタルカメラ１０での撮影カウント値を腕時計３０に送信するため（或いは、腕時計３０でのタイマーカウント値をデジタルカメラ１０に送信するため）の信号であり、これには、カウントデータ送信モードを示すデータ値「０２」が格納されるモードデータＤａと、デジタルカメラ１０での撮影カウント値（或いは、腕時計３０でのタイマーカウント値）のデータ「０〜Ｆ」が格納されるカウントデータＤｄと、が含まれる。
【００７０】
腕時計３０は、このカウントデータ送信信号Ｓ２を受信すると、カウントデータＤｄに格納されている撮影カウント値に同期するよう、タイマーカウント値を調整する。
【００７１】
図６（ｃ）は、デジタルカメラ１０から腕時計３０に送信されるシャッター通知信号Ｓ３のデータ構成例を示す図である。シャッター通知信号Ｓ３は、デジタルカメラ１０におけるシャッターのＯＮ／ＯＦＦ（切られたか否か）を腕時計３０に通知するための信号であり、これには、ステータスモードを示すデータ値「００」が格納されるモードデータＤａと、シャッターを示すデータ値「０１」が格納されるデータＤｅと、シャッターＯＮ／ＯＦＦを示すデータ値「１／０」が格納されるデータＤｆと、が含まれる。
【００７２】
腕時計３０は、このシャッター通知信号Ｓ３を受信してシャッターＯＮが通知されると、デジタルカメラ１０でのシャッターＯＮ、即ちタイマー撮影が終了した旨の報知を行う。
【００７３】
＜処理の流れ＞
次に、実施形態１での処理の流れを説明する。
【００７４】
図７は、実施形態１における第１タイマー撮影処理の流れを説明するためのフローチャートである。同図において、左側のフローが腕時計３０にかかる処理を示し、右側のフローがデジタルカメラ１０にかかる処理を示している。この第１タイマー撮影処理は、デジタルカメラ１０のＣＰＵ１２０がＲＯＭ１３０ａの第１タイマー撮影プログラム１３１を読み出して実行するとともに、腕時計３０のＣＰＵ３１０がＲＯＭ３３０ａの第１撮影制御プログラム３３１を読み出して実行することで実現される。
【００７５】
同図によれば、腕時計３０においてタイマー撮影のスタート指示が入力されると（ステップＡ１１）、腕時計３０は、デジタルカメラ１０に、タイマースタート通知信号Ｓ１を送信してタイマー撮影のスタート指示を通知するとともに（ステップＡ１２）、タイマーカウント動作を開始する（ステップＡ１３：ＹＥＳ）。
【００７６】
一方、デジタルカメラ１０は、腕時計３０からタイマー撮影のスタート指示が通知されると（ステップＢ１１）、撮影カウント動作を開始してタイマー撮影を開始する（ステップＢ１２）。このとき、デジタルカメラ１０は、受信したタイマースタート通知信号Ｓ１に含まれるタイマーカウント値をタイマー１５２にセットし、この値からのダウンカウントを行う。次いで、腕時計３０に、カウントデータ送信信号Ｓ２を送信して撮影カウント値を送信する（ステップＢ１３）。
【００７７】
そして、腕時計３０は、デジタルカメラ１０から送信される撮影カウント値を受信すると（ステップＡ１４）、受信した撮影カウント値に基づいてタイマーカウント値を調整する（ステップＡ１５）。具体的には、受信した撮影カウント値に同期するよう、タイマーカウント値を修正する。
【００７８】
また、腕時計３０は、これと並行してタイマーカウント値を監視しており、タイマーカウント値が所定値（例えば、５［秒］）になると（ステップＡ１６：ＹＥＳ）、撮影実行までのカウントダウンを報知する（ステップＡ１７）。具体的には、１秒毎タイマーカウント値を表示部３２４に表示させることで、「５、４、３、２、１」といったふうに、撮影実行までの所要時間をカウントダウン形式で報知する。尚、この報知は、タイマーカウント値に対応する音声を音出力部３２６から出力させることや、腕時計３０本体を振動させる等して実現しても良い。
【００７９】
一方、デジタルカメラ１０も、撮影カウント値を監視しており、撮影カウント値が“０［秒］”になると（ステップＢ１４：ＹＥＳ）、シャッターを切って撮影を実行する（ステップＢ１５）。次いで、腕時計３０に、シャッター通知信号Ｓ３を送信してシャッターＯＮを通知する（ステップＢ１６）。
【００８０】
そして、腕時計３０は、デジタルカメラ１０からシャッターＯＮが通知されると（ステップＡ１８：ＹＥＳ）、シャッターＯＮを報知する（ステップＡ１９）。具体的には、「撮影終了！」といった、デジタルカメラ１０での撮影が終了した旨のメッセージを、表示部３２４に表示させることで報知する。尚、この報知は、該メッセージに対応する報知音声を音出力部３２６から出力させることや、腕時計３０本体を振動させる等して実現しても良い。
以上の処理を行うと、実施形態１における第１タイマー撮影処理は終了する。
【００８１】
＜作用・効果＞
以上、実施形態１によれば、腕時計３０において、ユーザＹによりタイマー撮影のスタート指示が入力されると、腕時計３０でのタイマーカウント動作が開始されるとともに、タイマー撮影のスタート指示がデジタルカメラ１０に通知され、デジタルカメラ１０において撮影カウント動作が開始される。そして、腕時計３０において、デジタルカメラ１０から受信した撮影カウント値に同期するようにタイマーカウント値が調整され、撮影時刻の所定時間（例えば、５［秒］）前になると、撮影実行までの所要時間がカウントダウン形式で報知されるとともに、デジタルカメラ１０からシャッターＯＮが通知されると、その旨（撮影終了）が報知される。従って、被写体であるユーザは、腕時計３０においてなされる報知によって、従来のようにカメラを意識することなく、撮影の実行のタイミング（シャッターが切られるタイミング）や撮影終了を確実に知ることができるため、撮影時の失敗が減少される。
【００８２】
［実施形態２］
続いて、実施形態２を説明する。尚、実施形態２において、上述した実施形態１と同一要素については同符号を付し、詳細な説明を省略する。
実施形態２では、タイマー撮影のポーズ（一時停止）やその解除、キャンセル（中止）の指示を、ユーザＹが腕時計３０に入力すると、これらの指示がデジタルカメラ１０に通知されて、対応する動作が行われる。
【００８３】
＜構成＞
先ず、実施形態２での構成を説明する。
【００８４】
図８は、実施形態２におけるデジタルカメラ１０のＲＯＭ１３０ｂ及びＲＡＭ１４０ｂの構成を示す図である。
同図（ａ）によれば、ＲＯＭ１３０ｂには、実施形態２を実現するための第２タイマー撮影プログラム１３２が格納されている。ＣＰＵ１２０がこの第２タイマー撮影プログラム１３２を読み出して実行することで、後述する第２タイマ撮影処理（図１１参照）におけるデジタルカメラ１０側の処理が実現される。
【００８５】
また、図８（ｂ）によれば、ＲＡＭ１４０ｂには、撮影カウント値格納領域１４１が形成されている。
【００８６】
図９は、実施形態２における腕時計３０のＲＯＭ３３０ｂ及びＲＡＭ３４０ｂの構成を示す図である。
同図（ａ）によれば、ＲＯＭ３３０ｂには、実施形態２を実現するための第２撮影制御プログラム３３２が格納されている。ＣＰＵ３１０がこの第２撮影制御プログラム３３２を読み出して実行することで、後述する第２タイマ撮影処理（図１１参照）における腕時計３０側の処理が実現される。
【００８７】
また、図９（ｂ）によれば、ＲＡＭ３４０ｂには、タイマーカウント値格納領域３４１、が形成されている。
【００８８】
ここで、実施形態２において、デジタルカメラ１０と腕時計３０との間で送受信される信号について説明する。
図１０（ａ）は、腕時計３０からデジタルカメラ１０に送信されるポーズ通知信号Ｓ４のデータ構成例を示す図である。ポーズ通知信号Ｓ４は、タイマー撮影のポーズ（一時中断）及びその解除をデジタルカメラ１０に通知するための信号であり、これには、制御動作モードを示すデータ値「０３」が格納されるモードデータＤａと、制御内容が“ポーズ”であることを示すデータ値「０２」が格納されるデータＤｇと、ポーズのＯＮ／ＯＦＦ（実行／解除）を示すデータ値「１／０」が格納されるデータＤｈと、が含まれる。
【００８９】
デジタルカメラ１０は、このポーズ通知信号Ｓ４を受信してポーズが通知されると、撮影カウント動作を一時中断する。また、ポーズ解除が通知されると、一時中断していた撮影カウント動作を再開する。
【００９０】
図１０（ｂ）は、腕時計３０からデジタルカメラ１０に送信されるキャンセル通知信号Ｓ５のデータ構成例を示す図である。キャンセル通知信号Ｓ５は、タイマー撮影のキャンセル（中止）をデジタルカメラ１０に通知するための信号であり、これには、制御動作モードを示すデータ値「０３」が格納されるモードデータＤａと、制御内容が“キャンセル”であることを示すデータ値「０３」が格納されるデータＤｉと、キャンセルするか否か（ＯＮ／ＯＦＦ）を示すデータ値「１／０」が格納されるデータＤｊと、が含まれる。
【００９１】
デジタルカメラ１０は、このキャンセル通知信号Ｓ５を受信してタイマー撮影のキャンセル（中止）が通知されると、撮影カウント動作を中止して実行中のタイマー撮影を中止する。
【００９２】
＜処理の流れ＞
次に、実施形態２での処理の流れを説明する。
図１１は、実施形態２における第２タイマー撮影処理を説明するためのフローチャートである。同図において、左側のフローが腕時計３０にかかる処理を示し、右側のフローがデジタルカメラ１０にかかる処理を示している。この第２タイマー撮影処理は、デジタルカメラ１０のＣＰＵ１２０がＲＯＭ１３０ｂの第２タイマー撮影プログラム１３２を読み出して実行するとともに、腕時計３０のＣＰＵ３１０がＲＯＭ３３０ｂの第２撮影制御プログラムを読み出して実行することで実現される。
【００９３】
図１１によれば、腕時計３０において、タイマー撮影のスタート指示が入力されると（ステップＡ：ＹＥＳ）、腕時計３０は、デジタルカメラ１０にタイマースタート通知信号Ｓ１を送信してタイマー撮影のスタート指示を通知するとともに、タイマーカウント動作を開始する（ステップＡ１２〜Ａ１３）。
【００９４】
そして、デジタルカメラ１０は、腕時計３０からタイマー撮影のスタート指示が通知されると（ステップＢ１１）、タイマーカウント動作を開始する（ステップＢ１２）。次いで、腕時計３０にカウントデータ送信信号Ｓ２を送信してタイマーカウント値を送信する（ステップＡ２１）。
【００９５】
一方、デジタルカメラ１０は、腕時計３０から送信されるタイマーカウント値を受信すると（ステップＢ２１）、受信したタイマーカウント値に基づいて撮影カウント値を調整する（ステップＢ２２）。具体的には、受信したタイマーカウント値に同期するよう、撮影カウント値を修正する。
【００９６】
その後、腕時計３０において、タイマー撮影のポーズ指示が入力されると（ステップＡ２２：ＹＥＳ）、腕時計３０は、タイマーカウント動作を一時中断し（ステップＡ２３）、デジタルカメラ１０に、ポーズ通知信号Ｓ４を送信してポーズ指示を通知する（ステップ２４）。
【００９７】
そして、デジタルカメラ１０は、腕時計３０からポーズ指示が通知されると（ステップＢ２１：ＹＥＳ）、タイマーカウント動作を一時中断する（ステップＢ２２）。
【００９８】
また、腕時計３０において、ポーズ解除指示が入力されると（ステップＡ２５；ＹＥＳ）、腕時計３０は、一時中断していたタイマーカウント動作を再開し（ステップＡ２６）、デジタルカメラ１０にポーズ通知信号Ｓ４を送信してポーズ解除指示を通知する（ステップＡ２７）。このとき、腕時計３０は、一時中断した時点でのタイマーカウント値から、タイマーカウント動作を再開する。
【００９９】
そして、デジタルカメラ１０は、腕時計３０からポーズ解除指示が通知されると（ステップＢ２５：ＹＥＳ）、一時中断していた撮影カウント動作を再開する（ステップＢ２６）。このとき、デジタルカメラ１０は、一時中断した時点での撮影カウント値から、撮影カウント動作を再開する。
【０１００】
また、腕時計３０において、タイマー撮影のキャンセル指示が入力されると（ステップＡ２８：ＹＥＳ）、腕時計３０は、タイマーカウント動作を中止し（ステップＡ２９）、デジタルカメラ１０に、キャンセル通知信号Ｓ５を送信してキャンセル指示を通知する（ステップＡ３０）。
【０１０１】
そして、デジタルカメラ１０は、腕時計３０からキャンセル指示が通知されると（ステップＢ２７）、撮影カウント動作を中止し（ステップ２８）、腕時計３０に撮影カウント動作の中止を通知する（ステップＢ２９）。
【０１０２】
また、腕時計３０は、これらの処理と並行してタイマーカウント値を監視しており、タイマーカウント値が所定値になると（ステップＡ１６；ＹＥＳ）、カウントダウンの報知を行う（ステップＡ１７）。
【０１０３】
一方、デジタルカメラ１０においても、これらの処理と並行して撮影カウント値を監視しており、撮影カウント値が“０［秒］”になると、シャッターを切って撮影を実行する（ステップＢ１４：ＹＥＳ〜Ｂ１５）。次いで、腕時計３０に、シャッター通知信号Ｓ３を送信してシャッターＯＮを通知する（ステップＢ１６）。
【０１０４】
そして、腕時計３０は、デジタルカメラ１０からシャッターＯＮが通知されると（ステップＡ１８：ＹＥＳ）、シャッターＯＮを報知する（ステップＡ１９）。
以上の処理を行うと、第２タイマ撮影処理は終了する。
【０１０５】
＜作用・効果＞
以上、実施形態２によれば、腕時計３０において、ユーザＹによりポーズ（タイマー撮影の中断指示）が入力されると、腕時計３０でのタイマーカウント動作が一時中断されるとともに、ポーズがデジタルカメラ１０に通知され、デジタルカメラ１０においても撮影カウント動作が一時中断される。また、ポーズ解除が入力されると、腕時計３０でのタイマーカウント動作が再開されるとともに、ポーズ解除がデジタルカメラ１０に通知され、デジタルカメラ１０においても撮影カウント動作が再開される。また、キャンセル（タイマー撮影の中止）が入力されると、腕時計３０でのタイマーカウント動作が中止されるとともに、キャンセルがデジタルカメラ１０に通知され、デジタルカメラ１０においても撮影カウント動作が中止される。従って、タイマー撮影のポーズやポーズ解除、キャンセルが指示された場合でも、デジタルカメラ１０での撮影カウント動作と腕時計３０でのタイマーカウント動作との連動が可能になる。
【０１０６】
［実施形態３］
最後に、実施形態３を説明する。尚、実施形態３において、上述した実施形態２と同一要素については同符合を付し、詳細な説明を省略する。
実施形態３では、撮影終了後、撮影画像が腕時計３０に送信され、腕時計３０において撮影画像が表示されて、ユーザＹにより、この撮影画像の保存／消去の指示が入力されると、これらの指示がデジタルカメラ１０に通知され、対応する動作が行われる。
【０１０７】
＜構成＞
先ず、実施形態３での構成を説明する。
【０１０８】
図１２は、実施形態３におけるデジタルカメラ１０のＲＯＭ１３０ｃ及びＲＡＭ１４０ｃの構成を示す図である。
同図（ａ）によれば、ＲＯＭ１３０ｃには、実施形態３を実現するための第３タイマー撮影プログラム１３３が格納されている。ＣＰＵ１２０がこの第３タイマー撮影プログラム１３３を読み出して実行することで、後述する第３タイマー撮影処理（図１４参照）におけるデジタルカメラ１０側の処理が実現される。
【０１０９】
また、図１２（ｂ）によれば、ＲＡＭ１４０ｃには、撮影カウント値格納領域１４１と、腕時計３０から受信した撮影画像を格納する受信画像格納領域１４２と、が形成されている。
【０１１０】
図１３は、実施形態３における腕時計３０のＲＯＭ３３０ｃ及びＲＡＭ３４０ｃの構成を示す図である。
同図（ａ）によれば、ＲＯＭ３３０ｃには、実施形態３を実現するための第３撮影制御プログラム３３３が格納されている。ＣＰＵ３１０がこの第３撮影制御プログラム３３３を読み出して実行することで、後述する第３タイマー撮影処理（図１４参照）における腕時計３０側の処理が実現される。
【０１１１】
また、図１３（ｂ）によれば、ＲＡＭ３４０ｃには、タイマーカウント値格納領域３４１が形成されている。
【０１１２】
＜処理の流れ＞
次に、実施形態３での処理の流れを説明する。
【０１１３】
図１４は、実施形態３における第３タイマー撮影処理を説明するためのフローチャートである。同図において、左側のフローが腕時計３０にかかる処理を示し、右側のフローがデジタルカメラ１０にかかる処理を示している。この第３タイマー処理は、デジタルカメラ１０のＣＰＵ１２０がＲＯＭ１３０ｃの第３タイマー撮影プログラム１３３を読み出して実行するとともに、腕時計３０のＣＰＵ３１０がＲＯＭ３３０ｃの第３撮影制御プログラム３３３を読み出して実行することで実現される。
【０１１４】
同図において、デジタルカメラ１０は、撮影を行うと（ステップＢ４１）、撮影画像を腕時計３０に送信する（ステップＢ４２）。そして、腕時計３０は、デジタルカメラ１０から送信される撮影画像を受信すると（ステップＡ４１）、受信した撮影画像を表示部３２４に表示させる（ステップＡ４２）。
【０１１５】
また、腕時計３０において、タイマー撮影のスタート指示が入力されると（ステップＡ４３：ＹＥＳ）、腕時計３０は、デジタルカメラ１０にタイマースタート通知信号Ｓ１を送信してタイマー撮影のスタート指示を通知する（ステップＡ４４）。次いで、実施形態２において説明した、図１１のステップＡ１以後Ａ１９までの処理を同様に実行する。
【０１１６】
一方、デジタルカメラ１０は、腕時計３０からタイマー撮影のスタート指示が通知されると（ステップＢ４３）、実施形態２において説明した、図１１のステップＢ１以後Ｂ１６までの処理を同様に実行する。その後、撮影の実行によって得られた撮影画像を、腕時計３０に送信する（ステップＢ４４）。
【０１１７】
そして、腕時計３０は、デジタルカメラ１０から送信される撮影画像を受信すると（ステップＡ４５）、受信した撮影画像を表示部３２４に表示する（ステップＡ４６）。次いで、この撮影画像に対する保存／消去指示が入力されると、入力された指示に応じた信号（保存当否信号）をデジタルカメラ１０に送信する。即ち、画像保存指示が入力されると（ステップＡ４７：保存）、画像保存指示を腕時計３０に送信し（ステップＡ４８）、一方、画像消去指示が入力されると（ステップＡ４７：消去）、画像消去指示を腕時計３０に送信する（ステップＡ４９）。
【０１１８】
そして、デジタルカメラ１０は、腕時計３０から保存当否信号を受信すると、この受信した保存当否信号に従って撮影画像の保存／消去を行う。即ち、画像保存指示を受信した場合には（ステップＢ４５：保存）、撮影画像をフラッシュメモリ１１４に記録保存し（ステップＢ４６）、一方、画像消去指示信号を受信した場合には（ステップＢ４５：消去）、撮影画像を消去する（ステップ４７）。
以上の処理を行うと、第３タイマー撮影処理は終了する。
【０１１９】
＜作用・効果＞
以上、実施形態３によれば、タイマー撮影の終了後、撮影画像が腕時計３０に送信され、表示される。そして、腕時計３０において、ユーザＹにより、この撮影画像を保存するか否かの指示が入力されると、この指示がデジタルカメラ１０に通知され、デジタルカメラ１０において、通知された信号に従って撮影画像が保存又は消去される。従って、撮影終了後、その場で撮影画像を確認し、保存／消去を行うことが可能となる。更に、再度同じ構図でのタイマー撮影（取り直し）を行うことも可能となる。また、不要な画像データは記憶せずにその場で消去させることにより、メモリを無駄なく経済的に活用することができる。
【０１２０】
［変形例］
尚、本発明は、上述した３つの実施形態に限定されるものではなく、本発明の趣旨を逸脱しない範囲で適宜変更可能である。例えば、次の変形例が挙げられる。
【０１２１】
（１）カウント値の調整
カウント値の調整は、デジタルカメラ１０及び腕時計３０のどちらが行うこととしても良い。即ち、実施形態１では、腕時計３０が、デジタルカメラ１０から受信した撮影カウント値に同期するようにタイマーカウント値を調整することとしたが、これを逆にし、腕時計３０がタイマーカウント値をデジタルカメラ１０に送信し、デジタルカメラ１０が、腕時計３０から受信したタイマーカウント値に同期するように撮影カウント値を調整することとしても良い。
【０１２２】
また、実施形態２、３では、デジタルカメラ１０が、腕時計３０から受信したタイマーカウント値に同期するように撮影カウント値を調整することとしたが、これを逆にし、デジタルカメラ１０が撮影カウント値を腕時計３０に送信し、腕時計３０が、デジタルカメラ１０から受信した撮影カウント値に同期するようにタイマーカウント値を調整することとしても良い。
【０１２３】
（２）撮影装置及び電子機器の適用
また、上述した実施の形態では、本発明の撮影装置をデジタルカメラ１０に適用し、電子機器を腕時計３０に適用した場合について説明したが、これ以外のものに適用しても勿論構わない。例えば、本発明の撮影装置を、カメラ付きの携帯電話機やＰＤＡ等、被写体の画像を電子的に撮影する撮影手段と、無線通信手段とを有する何れの装置にも適用可能である。また、本発明の電子機器を、撮影装置のリモコンや携帯電話機等、被写体であるユーザが携帯可能な、無線通信手段を有する電子機器にも適用可能である。
【図面の簡単な説明】
【０１２４】
【図１】本実施の形態の概要図。
【図２】デジタルカメラの回路構成を示すブロック図。
【図３】腕時計の内部構成を示すブロック図。
【図４】実施形態１におけるデジタルカメラのＲＯＭ及びＲＡＭの構成を示す図。
【図５】実施形態１における腕時計のＲＯＭ及びＲＡＭの構成を示す図。
【図６】実施形態１においてデジタルカメラと腕時計との間で送受信される信号のデータ構成例。
【図７】実施形態１における第１タイマ撮影処理を説明するフローチャート。
【図８】実施形態２におけるデジタルカメラのＲＯＭ及びＲＡＭの構成を示す図。
【図９】実施形態２における腕時計のＲＯＭ及びＲＡＭの構成を示す図。
【図１０】実施形態２においてデジタルカメラと腕時計との間で送受信される信号のデータ構成例。
【図１１】実施形態２における第２タイマ撮影処理を説明するフローチャート。
【図１２】実施形態３におけるデジタルカメラのＲＯＭ及びＲＡＭの構成を示す図。
【図１３】実施形態３における腕時計のＲＯＭ及びＲＡＭの構成を示す図。
【図１４】実施形態３における第３タイマ撮影処理を説明するフローチャート。
【符号の説明】
【０１２５】
１０  デジタルカメラ
１０２  光学系
Ｌ  撮影レンズ
１０４  信号変換部
１０６  信号処理部
１１２  ＤＲＡＭ
１１４  フラッシュメモリ
１２０  ＣＰＵ
１３０（１３０ａ〜１３０ｃ）  ＲＯＭ
１３１  第１タイマー撮影プログラム
１３２  第２タイマー撮影プログラム
１３３  第３タイマー撮影プログラム
１４０（１４０ａ〜１４０ｃ）  ＲＡＭ
１４１  撮影カウント値格納領域
１４２  受信画像格納領域
１５２  タイマー
１５４  入力部
１５６  表示部
１５８  音出力部
１６２  通信部
３０  腕時計
３１０  ＣＰＵ
３２２  入力部
３２４  表示部
３２６  音出力部
３３０（３３０ａ〜３３０ｃ）  ＲＯＭ
３３１  第１撮影制御プログラム
３３２  第２撮影制御プログラム
３３３  第３撮影制御プログラム
３４０（３４０ａ〜３４０ｃ）  ＲＡＭ
３４１  タイマーカウント値格納領域
３５２  計時回路部
３５４  発振回路部
３５８  通信制御部
Ｓ１  タイマースタート通知信号
Ｓ２  カウントデータ送信信号
Ｓ３  シャッター通知信号
Ｓ４  ポーズ通知信号
Ｓ５  キャンセル通知信号
【図１】
2005070392.tif 000003
【図２】
2005070392.tif 000004
【図３】
2005070392.tif 000005
【図４】
2005070392.tif 000006
【図５】
2005070392.tif 000007
【図６】
2005070392.tif 000008
【図７】
2005070392.tif 000009
【図８】
2005070392.tif 000010
【図９】
2005070392.tif 000011
【図１０】
2005070392.tif 000012
【図１１】
2005070392.tif 000013
【図１２】
2005070392.tif 000014
【図１３】
2005070392.tif 000015
【図１４】
2005070392.tif 000016